(57)【要約】【課題】  樹脂パイプを手で外嵌したのち、クリップを手で樹脂パイプの外周面に差し込むだけで給水管や給湯管等と容易に接続できると共に、製作しやすく安価につく合成樹脂パイプ接続装置を提供する。【解決手段】  通水孔５１Ａを有する筒状管の一端の外周面に、テーパー状の逆止体１０Ａを形成し、他端の外周面に水道管、温水管等に接続するオス型又はメス型の接続体４０Ａを形成し、中間部の外周面に１個又は複数個の円周溝２０Ａを形成してオーリング３０Ａを嵌入した接続管５０Ａと、前記逆止体１０Ａと前記オーリング３０Ａに外嵌した合成樹脂製パイプ７０Ａを圧着できるようにしたグリツプバンド６０とを備えたもの。【選択図】    図１
2006349050.tif 000002
【特許請求の範囲】
【請求項１】
通水孔を有する筒状管の一端の外周面に、合成樹脂パイプを外嵌したとき逆止めして抜けないようにした逆止体を設け、他端の外周面に、水道管、温水管等に接続するオス型又はメス型の接続体を設け、中間部の外周面に、１個又は複数個の円周溝を設けて、オーリングを嵌入できるようにした接続管と、前記接続管の前記逆止体と前記オーリングに外嵌した合成樹脂パイプの外周面に圧着できるようにしたグリツプバンドとを備えたことを特徴とする合成樹脂パイプ接続装置。
【請求項２】
通水孔５１Ａを有する筒状管の一端の外周面に、テーパー状の逆止体１０Ａを形成し、他端の外周面に水道管、温水管等に接続するオス型又はメス型の接続体４０Ａを形成し、中間部の外周面に１個又は複数個の円周溝２０Ａを形成してオーリング３０Ａを嵌入した接続管５０Ａと、前記逆止体１０Ａと前記オーリング３０Ａに外嵌した合成樹脂製パイプ７０Ａに圧着できるようにしたグリツプバンド６０とを備えたことを特徴とする合成樹脂パイプ接続装置。
【請求項３】
通水孔５１Ｂを有する筒状管の一端の外周面に、複数個の勾配形の突起体１１Ｂを放射状に設けた逆止体１０Ｂを形成し、他端の外周面に水道管、温水管等に接続するオス型又はメス型の接続体４０Ｂを形成し、中間部の外周面に１個又は複数個の円周溝２０Ｂを形成してオーリング３０Ｂを嵌入した接続管５０Ｂと、前記逆止体１０Ｂと前記オーリング３０Ｂに外嵌した合成樹脂製パイプ７０Ｂに圧着できるようにしたグリツプバンド６０とを備えたことを特徴とする合成樹脂パイプ接続装置。
【請求項４】
通水孔５１Ｃを有する筒状管の一端の外周面に、薄リング１１Ｃとその後端に多数の羽片１２Ｃの一端を結合し他端を上げ広げた形状の逆止体１０Ｃを形成し、他端の外周面に水道管、温水管等に接続するオス型又はメス型の接続体４０Ｃを形成し、中間部の外周面に１個又は複数個の円周溝２０Ｃを形成してオーリング３０Ｃを嵌入した接続管５０Ｃと、前記逆止体１０Ｃと前記オーリング３０Ｃに外嵌した合成樹脂製パイプ７０Ｃに圧着できるようにしたグリツプバンド６０とを備えたことを特徴とする合成樹脂パイプ接続装置。
【請求項５】
通水孔５１Ｄを有する筒状管の一端の外周面に、テーパー体１１Ｄに複数個の切溝１２Ｄを設けた形状の逆止体１０Ｄを形成し、他端の外周面に水道管、温水管等に接続するオス型又はメス型の接続体４０Ｄを形成し、中間部の外周面に１個又は複数個の円周溝２０Ｄを形成してオーリング３０Ｄを嵌入できるようにした接続管５０Ｄと、前記逆止体１０Ｄと前記オーリング３０Ｄに外嵌した合成樹脂製パイプ７０Ｄに圧着できるようにしたグリツプバンド６０とを備えたことを特徴とする合成樹脂パイプ接続装置。
【請求項６】
通水孔５１Ｅを有する筒状管の一端の外周面に、テーパー体１１Ｅと割目１２Ｅ付きのテーパー状の筒体１１Ｅとからなる逆止体１０Ｅを形成し、他端の外周面に水道管、温水管等に接続するオス型又はメス型の接続体４０Ｅを形成し、中間部の外周面に１個又は複数個の円周溝２０Ｅを形成してオーリング３０Ｅを嵌入できるようにした接続管５０Ｅと、前記筒体１１Ｅと前記オーリング３０Ｅに外嵌した合成樹脂製パイプ７０Ｅに圧着できるようにしたグリツプバンド６０とを備えたことを特徴とする合成樹脂パイプ接続装置。
【請求項７】
グリツプバンド６０が、円筒状に曲げられた薄金属板６００の一端に形成された押片６１と、前記薄金属板６００の他端に形成された、前記押片６１をくぐり抜けるようにした逆Ｕ字状押片６２とからなり、前記押片６１と前記逆Ｕ字状押片６２とを押圧することにより、円筒状に曲げられた前記薄金属板６００に内嵌する合成樹脂製パイプの外周面を押圧して逆止体とオーリングとを樹脂パイプに圧着できるようにしたことを特徴とする請求項２乃至６の合成樹脂パイプ接続装置。
【発明の詳細な説明】
【技術分野】
【０００１】
本発明は、給水管、給湯管に使用される合成樹脂パイプ接続装置に関する。
【背景技術】
【０００２】
従来、給水管や給湯管に架橋ポリエチレン製の合成樹脂パイプ（以下、単に樹脂パイプという。）を接続するために使用される継手には、図１４に示すように、給水管や給湯管に接続する接続部４ａの後部内周面にオーリング２ａと樹脂パイプの抜け止め防止のための逆止材３ａを備えて樹脂パイプを内嵌するパイプ内嵌形のもの１ａ（特開２０００−１３６８９３号）や図１５に示すように、給水管や給湯管に接続する接続部４ｂの後部外周面に複数個のテーパー状の逆止体３ｂを備えて樹脂パイプを外嵌するパイプ外嵌形のもの１ｂが市販されていたが、パイプ内嵌形のもの１ａは、樹脂パイプを手で差込むだけでよいが、樹脂パイプを差込んだ程度が外見できないため、施工上、水漏れの恐れがある上に、かなり高価である欠点があった。また、パイプ外嵌形のもの１ｂは、いわゆるタケノコと称する３個程度のテーパー状の逆止体３ｂに樹脂パイプを外嵌するもので、安価であるが、樹脂パイプが半硬質のため特殊な樹脂パイプ挿入具を使用しないと容易に挿入できない欠点があった。
【特許文献１】特開２０００−１３６８９３号公報
【発明の開示】
【発明が解決しようとする課題】
【０００３】
本発明は、樹脂パイプを手で外嵌したのち、クリップを手で差し込むだけで給水管や給湯管等と容易に接続できる合成樹脂パイプ接続装置を提供するものである。
また、本発明は、製作しやすく安価につく合成樹脂パイプ接続装置を提供するものである。
【課題を解決するための手段】
【０００４】
本発明合成樹脂パイプ接続装置は、上記課題を達成するため、図示するように、通水孔を有する筒状管の一端の外周面に、合成樹脂パイプを外嵌したとき逆止めして抜けないようにした逆止体を設け、他端の外周面に、水道管、温水管等に接続するオス型又はメス型の接続体を設け、中間部の外周面に、１個又は複数個の円周溝を設けて、オーリングを嵌入できるようにした接続管と、前記接続管の前記逆止体と前記オーリングに外嵌した合成樹脂パイプの外周面に圧着できるようにしたグリツプバンドとを備えたものである。
また、本発明合成樹脂パイプ接続装置の請求項２の発明は、上記課題を達成するため、図１及び図２に示すように、通水孔５１Ａを有する筒状管の一端の外周面に、テーパー状の逆止体１０Ａを形成し、他端の外周面に水道管、温水管等に接続するオス型又はメス型の接続体４０Ａを形成し、中間部の外周面に１個又は複数個の円周溝２０Ａを形成してオーリング３０Ａを嵌入した接続管５０Ａと、前記逆止体１０Ａと前記オーリング３０Ａに外嵌した合成樹脂製パイプ７０Ａに圧着できるようにしたグリツプバンド６０とを備えたものである。
また、本発明合成樹脂パイプ接続装置の請求項３の発明は、上記課題を達成するため、図３及び図９に示すように、通水孔５１Ｂを有する筒状管の一端の外周面に、複数個の勾配形の突起体１１Ｂを放射状に設けた逆止体１０Ｂを形成し、他端の外周面に水道管、温水管等に接続するオス型又はメス型の接続体４０Ｂを形成し、中間部の外周面に１個又は複数個の円周溝２０Ｂを形成してオーリング３０Ｂを嵌入した接続管５０Ｂと、前記逆止体１０Ｂと前記オーリング３０Ｂに外嵌した合成樹脂製パイプ７０Ｂに圧着できるようにしたグリツプバンド６０とを備えたものである。
また、本発明合成樹脂パイプ接続装置の請求項４の発明は、上記課題を達成するため、図５及び図６に示すように、通水孔５１Ｃを有する筒状管の一端の外周面に、薄リング１１Ｃとその後端に多数の羽片１２Ｃの一端を結合し他端を上げ広げた形状の逆止体１０Ｃを形成し、他端の外周面に水道管、温水管等に接続するオス型又はメス型の接続体４０Ｃを形成し、中間部の外周面に１個又は複数個の円周溝２０Ｃを形成してオーリング３０Ｃを嵌入した接続管５０Ｃと、前記逆止体１０Ｃと前記オーリング３０Ｃに外嵌した合成樹脂製パイプ７０Ｃに圧着できるようにしたグリツプバンド６０とを備えたものである。
また、本発明合成樹脂パイプ接続装置の請求項５の発明は、上記課題を達成するため、図７及び図８に示すように、通水孔５１Ｄを有する筒状管の一端の外周面に、テーパー体１１Ｄに複数個の切溝１２Ｄを設けた形状の逆止体１０Ｄを形成し、他端の外周面に水道管、温水管等に接続するオス型又はメス型の接続体４０Ｄを形成し、中間部の外周面に１個又は複数個の円周溝２０Ｄを形成してオーリング３０Ｄを嵌入できるようにした接続管５０Ｄと、前記逆止体１０Ｄと前記オーリング３０Ｄに外嵌した合成樹脂製パイプ７０Ｄに圧着できるようにしたグリツプバンド６０とを備えたものである。
また、本発明合成樹脂パイプ接続装置の請求項６の発明は、上記課題を達成するため、図９、図１０及び図１１に示すように、通水孔５１Ｅを有する筒状管の一端の外周面に、テーパー体１１Ｅと割目１２Ｅ付きのテーパー状の筒体１１Ｅとからなる逆止体１０Ｅを形成し、他端の外周面に水道管、温水管等に接続するオス型又はメス型の接続体４０Ｅを形成し、中間部の外周面に１個又は複数個の円周溝２０Ｅを形成してオーリング３０Ｅを嵌入できるようにした接続管５０Ｅと、前記筒体１１Ｅと前記オーリング３０Ｅに外嵌した合成樹脂製パイプ７０Ｅに圧着できるようにしたグリツプバンド６０とを備えたものである。
さらに、本発明合成樹脂パイプ接続装置の請求項７の発明は、請求項２、請求項３、請求項４、請求項５、又は請求項６の発明において、図１２に示すように、グリツプバンド６０が、円筒状に曲げられた薄金属板６００の一端に形成された押片６１と、前記薄金属板６００の他端に形成された、前記押片６１をくぐり抜けるようにした逆Ｕ字状押片６２とからなり、前記押片６１と前記逆Ｕ字状押片６２とを押圧することにより、円筒状に曲げられた前記薄金属板６００に内嵌する合成樹脂製パイプの外周面を押圧して逆止体とオーリングとを樹脂パイプに圧着できるようにしたものである。
本発明において、逆止体は、樹脂パイプの内径より僅かに大きい外径程度であってもグリツプバンドで圧着できればよい。
【発明の効果】
【０００５】
本発明品は、従来の樹脂パイプ内嵌形が樹脂パイプの挿入程度を目視できず、挿入不足による水漏れ防止が不充分であるのに比べ、樹脂パイプの挿入状態が目視でき、また、従来の樹脂パイプ外嵌形が樹脂パイプを挿入器具を介して挿入しなければならないのに比べ、樹脂パイプを手で外嵌しやすく、グリツプバンドも手で目視しながら樹脂バンドに外嵌して圧着できるので水漏れ施工が確実にできる。
また、本発明品は、給水管や温水管等への施工が容易で、手作業で迅速にできる利点がある。
さらに、本発明品は、構造簡単で製作容易のため安価につく利点がある。
【発明を実施するための最良の形態】
【０００６】
通水孔を有する筒状管の一端の外周面に、合成樹脂パイプを外嵌したとき逆止めして抜けないようにした逆止体を設け、他端の外周面に、水道管、温水管等に接続するオス型又はメス型の接続体を設け、中間部の外周面に、１個又は複数個の円周溝を設けてオーリングを嵌入できるようにした接続管と、合成樹脂パイプの外周面を圧着するグリツプバンドとを設けたものである。
【実施例１】
【０００７】
本発明の実施例１が図１及び図２に示されている。本発明実施例１の合成樹脂パイプ接続装置は、接続管５０Ａとグリツプバンド６０とからなっている。接続管５０Ａは、通水孔５１Ａを有する筒体で、一端の外周面にテーパー状の逆止体１０Ａを形成して、合成樹脂製パイプ７０Ａを外嵌したときの抜け止めができるようになっている。他端の外周面に水道管、温水管等の接続口８０Ａに螺合して接続するオス型又はメス型の接続口を有する接続体４０Ａを形成している。
中間部の外周面に２個の円周溝２０Ａを形成してオーリング３０Ａを嵌入して合成樹脂製パイプ７０Ａを外嵌したときの水漏れ防止ができるようなっている。
グリツプバンド６０は、円筒状に曲げられた薄金属板６００からなっている。
グリツプバンドは、薄金属板６００の一端に手で押すことができる押片６１が形成され、他端に手で押すことができる逆Ｕ字状押片６２が形成されて、押片６１が挿入されている。押片６１と押片６２とをオヤ指と人差指とで押せば円筒状に曲げられた薄金属板６００の内径を拡大して合成樹脂製パイプに挿入し、両手指を離すと合成樹脂製パイプの外周面を押圧して逆止体とオーリングを圧着できるようになっている。
【実施例２】
【０００８】
本発明の実施例２が図３及び図４に示されている。本発明実施例２の合成樹脂パイプ接続装置は、接続管５０Ｂとグリツプバンド６０とからなっている。接続管５０Ｂは、通水孔５１Ｂを有する筒体で、一端の外周面に４個の勾配形の突起体１１Ｂを設けた逆止体１０Ｂを形成して、合成樹脂製パイプ７０Ｂを外嵌したときの抜け止めができるようになっている。他端の外周面に水道管、温水管等の接続口８０Ｂに螺合して接続するオス型又はメス型の接続口を有する接続体４０Ｂを形成している。
中間部の外周面に２個の円周溝２０Ｂを形成してオーリング３０Ｂを嵌入して合成樹脂製パイプ７０Ｂを外嵌したときの水漏れ防止ができるようなっている。
グリツプバンド６０は、実施例１に記載されたグリツプバンドと同一であるので、その構成及び作用効果の詳細説明は省略する。
【実施例３】
【０００９】
本発明の実施例３が図５及び図６に示されている。本発明実施例３の合成樹脂パイプ接続装置は、接続管５０Ｃとグリツプバンド６０とからなっている。接続管５０Ｃは、通水孔５１Ｃを有する筒体で、一端の外周面に薄リング１１Ｃとその後端に多数の羽片１２Ｃの先端を結合し、羽片１２Ｃの後端を上げ広げた形状の逆止体１０Ｃを形成して、合成樹脂製パイプ７０Ｃを外嵌したときの抜け止めができるようになっている。他端の外周面に水道管、温水管等の接続口８０Ｃに螺合して接続するオス型又はメス型の接続口を有する接続体４０Ｃを形成している。
中間部の外周面に２個の円周溝２０Ｃを形成してオーリング３０Ｃを嵌入して合成樹脂製パイプ７０Ｃを外嵌したときの水漏れ防止ができるようなっている。
グリツプバンド６０は、実施例１に記載されたグリツプバンドと同一であるので、構成及び作用効果の詳細説明は省略する。
【実施例４】
【００１０】
本発明の実施例４が図７及び図８に示されている。本発明実施例４の合成樹脂パイプ接続装置は、接続管５０Ｄとグリツプバンド６０とからなっている。接続管５０Ｄは、通水孔５１Ｄを有する筒体で、一端の外周面にテーパー体１１Ｄに４個の切溝１２Ｄを設けた形状の逆止体１０Ｄを形成して、合成樹脂製パイプ７０Ｄを外嵌したときの抜け止めができるようになっている。他端の外周面に水道管、温水管等の接続口８０Ｄに螺合して接続するオス型又はメス型の接続口を有する接続体４０Ｄを形成している。
中間部の外周面に２個の円周溝２０Ｄを形成してオーリング３０Ｄを嵌入して合成樹脂製パイプ７０Ｄを外嵌したときの水漏れ防止ができるようなっている。
グリツプバンド６０は、実施例１に記載されたグリツプバンドと同一であるので、その構成及び作用効果の詳細説明は省略する。
【実施例５】
【００１１】
本発明の実施例５が図９乃至図１１に示されている。本発明実施例５の合成樹脂パイプ接続装置は、接続管５０Ｅとグリツプバンド６０とからなっている。接続管５０Ｅは、通水孔５１Ｅを有する筒体で、一端の外周面にテーパー体１０Ｅと割目１２Ｅ付きのテーパー状の筒体１１Ｅとを形成して、合成樹脂製パイプ７０Ｅを外嵌したときの抜け止めができるようになっている。他端の外周面に水道管、温水管等の接続口８０Ｅに螺合して接続するオス型又はメス型の接続口を有する接続体４０Ｅを形成している。
中間部の外周面に２個の円周溝２０Ｅを形成してオーリング３０Ｅを嵌入して合成樹脂製パイプ７０Ｅを外嵌したときの水漏れ防止ができるようなっている。
グリツプバンド６０は、実施例１に記載されたグリツプバンドと同一であるので、その構成及び作用効果の詳細説明は省略する。
【産業上の利用可能性】
【００１２】
本発明品は、構造簡単で安価に量産できる。
【図面の簡単な説明】
【００１３】
【図１】本発明の実施例を示す断面図である。
【図２】図１の本発明品の正面図である。
【図３】本発明の別の実施例を示す断面図である。
【図４】図３の本発明品の正面図である。
【図５】本発明の別の実施例を示す断面図である。
【図６】図５の本発明品の正面図である。
【図７】本発明の別の実施例を示す断面図である。
【図８】図７の本発明品の正面図である。
【図９】本発明の別の実施例を示す断面図である。
【図１０】図９の本発明品の正面図である。
【図１１】図９の割目付きテーパー状筒体の斜視図である。
【図１２】本発明の実施例を示すグリツプバンドの斜視図である。
【図１３】図１の使用状態説明図である。
【図１４】従来例を断面図で示した説明図である。
【図１５】別の従来例を断面図で示した説明図である。
【符号の説明】
【００１４】
１０Ａ、１０Ｂ、１０Ｃ、１０Ｄ、１０Ｅ    逆止体
１１Ｂ    突起体
１１Ｃ    薄リング
１２Ｃ    羽片
１１Ｄ    テーパー体
１２Ｄ    切溝
１０Ｅ    テーパー体
１１Ｅ    テーパー状筒体
１２Ｅ    筒体の割目
２０Ａ、２０Ｂ、２０Ｃ、２０Ｄ、２０Ｅ    円周溝
３０Ａ、３０Ｂ、３０Ｃ、３０Ｄ、３０Ｅ    オーリング
４０Ａ、４０Ｂ、４０Ｃ、４０Ｄ、４０Ｅ    接続体
５０Ａ、５０Ｂ、５０Ｃ、５０Ｄ、５０Ｅ    接続管
６０    グリツプバンド
６００    薄金属板
６１    押片
６２    押片
７０Ａ、７０Ｂ、７０Ｃ、７０Ｄ、７０Ｅ    樹脂製パイプ
【図１】
2006349050.tif 000003
【図２】
2006349050.tif 000004
【図３】
2006349050.tif 000005
【図４】
2006349050.tif 000006
【図５】
2006349050.tif 000007
【図６】
2006349050.tif 000008
【図７】
2006349050.tif 000009
【図８】
2006349050.tif 000010
【図９】
2006349050.tif 000011
【図１０】
2006349050.tif 000012
【図１１】
2006349050.tif 000013
【図１２】
2006349050.tif 000014
【図１３】
2006349050.tif 000015
【図１４】
2006349050.tif 000016
【図１５】
2006349050.tif 000017